【手続補正書】
【提出日】平成25年9月12日(2013.9.12)
【手続補正１】
【補正対象書類名】明細書
【補正対象項目名】０００２
【補正方法】変更
【補正の内容】
【０００２】
図１１はタッチパネルの概略構成図を示す。この装置は、液晶表示装置にタッチパネル機能を内蔵した装置であり、画像表示装置でもある。この装置は、第１の基板（ＴＦＴ基板）と第２の基板（カラーフィルタ基板）とを対向配置し、第１の基板上に複数の画素電極１が第１の方向（Ｘ方向）と第２の方向（Ｙ方向）とに一定間隔で形成されている。それぞれの画素電極１は矩形状に形成されている。それぞれの画素電極１の一方の端部には、画素用トランジスタとしての薄膜トランジスタ（以下、ＴＦＴと称する）２が接続されている。
【手続補正２】
【補正対象書類名】明細書
【補正対象項目名】０００４
【補正方法】変更
【補正の内容】
【０００４】
Ｙ方向の各画素電極１の間にはそれぞれ、ＴＦＴ２が配置されると共に、走査線としてのゲート配線５と、補助容量配線６と、Ｙ座標検知配線７と、が配線されている。
【手続補正３】
【補正対象書類名】明細書
【補正対象項目名】０００９
【補正方法】変更
【補正の内容】
【０００９】
しかしながら、タッチパネルでは、各画素電極１のＹ方向の間にそれぞれＴＦＴ２と、ゲート配線５と、補助容量配線６と、を配置し、さらにＹ座標検知配線７と、Ｙ座標検知配線７にＸ座標検知接点部９またはＹ座標検知接点部１０または土台部１１と、を配置する構成となる。
【手続補正４】
【補正対象書類名】明細書
【補正対象項目名】００１０
【補正方法】変更
【補正の内容】
【００１０】
液晶表示装置の表示性能、例えば表示の輝度等の向上に寄与する要因としては、例えば各画素電極１の大きさ、すなわち液晶表示装置としての開口率を大きくすることが挙げられる。ところが、上記液晶表示装置では、各画素電極１の間にそれぞれＴＦＴ２と、ゲート配線５と、補助容量配線６と、を配置し、さらにタッチ機能としてＹ座標検知配線７と、Ｙ座標検知配線７にＸ座標検知接点部９またはＹ座標検知接点部１０または土台部１１と、を配置するために、各画素電極１の大きさ、すなわち液晶表示装置としての開口率を大きくすることが出来ない。
【手続補正５】
【補正対象書類名】明細書
【補正対象項目名】００１２
【補正方法】変更
【補正の内容】
【００１２】
前記目的を果たすため、本発明の液晶表示装の一態様は、互いに対向配置された第１の基板と第２の基板と、前記第１の基板と前記第２の基板との間に封入された液晶層と、前記第１の基板に設けられ、第１の方向と、当該第１の方向と垂直な第２の方向と、に配列された画素電極と、前記第２の基板に設けられ、前記画素電極に対して対向配置される対向電極と、前記画素電極に接続された画素用トランジスタと、前記画素用トランジスタに走査信号を供給する前記第１の方向に延伸する走査線と、前記画素用トランジスタに表示信号を供給する前記第２の方向に延伸する信号線と、前記画素電極との間に補助容量を形成する前記第１の方向に延伸する補助容量線と、を有し、前記第２の方向に隣接する前記画素電極の間隔のうちの、第１の画素電極間隔には、前記隣接する各画素電極に接続された前記各画素用トランジスタと、前記各画素用トランジスタに接続された前記各走査線と、前記信号線から延出された信号線延出部と、が配置され、前記信号線延出部は、前記各画素用トランジスタに共通接続される、ことを特徴とする。
【手続補正６】
【補正対象書類名】明細書
【補正対象項目名】００１３
【補正方法】変更
【補正の内容】
【００１３】
また、前記目的を果たすため、本発明のタッチパネルの一態様は、互いに対向配置された第１の基板と第２の基板と、前記第１の基板と前記第２の基板との間に封入された液晶層と、前記第１の基板に設けられ、第１の方向と、当該第１の方向と垂直な第２の方向と、に配列された画素電極と、前記第２の基板に設けられ、前記画素電極に対して対向配置される対向電極と、前記画素電極に接続された画素用トランジスタと、前記画素用トランジスタに走査信号を供給する前記第１の方向に延伸する走査線と、前記画素用トランジスタに表示信号を供給する前記第２の方向に延伸する信号線と、前記画素電極との間に補助容量を形成する前記第１の方向に延伸する補助容量線と、前記第１の方向に延伸された第１の座標検知配線と、前記第２の方向に延伸された第２の座標検知配線と、を有し、前記第２の方向に隣接する前記画素電極の間隔のうちの、第１の画素電極間隔には、前記隣接する各画素電極に接続された前記各画素用トランジスタと、前記各画素用トランジスタに接続された前記各走査線と、前記信号線から延出された信号線延出部と、が配置され、前記信号線延出部は前記各画素用トランジスタに共通接続される、ことを特徴とする。
【手続補正７】
【補正対象書類名】明細書
【補正対象項目名】００１７
【補正方法】変更
【補正の内容】
【００１７】
図１はタッチパネルの構成図を示す。本装置２００は、液晶表示装置にタッチパネル機能を内蔵した装置であり、画像表示装置でもある。本装置２００には、互いに対向配置された第１の基板（ＴＦＴ基板）と第２の基板（カラーフィルタ基板）とが設けられ、このうちの第１の基板上に複数の画素電極１が設けられ、第２の基板上にカラーフィルタ層を介して対向電極２０が設けられている。これら画素電極１と対向電極２０とは、対向配置されている。なお、各画素電極１と対向電極２０との間には、液晶が封入されて液晶層Ｑが形成されている。
【手続補正８】
【補正対象書類名】明細書
【補正対象項目名】００１８
【補正方法】変更
【補正の内容】
【００１８】
複数の画素電極１はそれぞれ矩形状に形成され、ＸＹ方向にそれぞれ一定の間隔で複数配置されている。これら画素電極１のうちのＹ方向に隣接する画素電極１の間には、第１の画素電極間隔Ｗ１または第２の画素電極間隔Ｗ２が形成されている。これら第１の画素電極間隔Ｗ１と第２の画素電極間隔Ｗ２とは、Ｙ方向に交互に形成されている。
【手続補正９】
【補正対象書類名】明細書
【補正対象項目名】００２０
【補正方法】変更
【補正の内容】
【００２０】
第２の画素電極間隔Ｗ２には、２本の補助容量配線６と、Ｙ座標検知配線７と、が配線されている。
【手続補正１０】
【補正対象書類名】明細書
【補正対象項目名】００２２
【補正方法】変更
【補正の内容】
【００２２】
また、本装置２００には、データドライバ（データ駆動回路）２１と、走査ドライバ（走査駆動回路）２２と、Ｘ座標検出部２３と、Ｙ座標検出部２５と、が設けられている。
【手続補正１１】
【補正対象書類名】明細書
【補正対象項目名】００２６
【補正方法】変更
【補正の内容】
【００２６】
これにより、複数のＴＦＴ２のうちの走査信号がゲート配線５によりゲート電極に供給され、かつ画像信号がデータ配線３によりドレイン電極に供給されたＴＦＴ２のドレイン電極とソース電極とが導通し、当該導通したソース電極に接続した画素電極１に画像信号に対応した電圧が書き込まれることになる。そして画素電極１と対向電極２０との間に電圧差が発生して当該液晶層Ｑが駆動される。
【手続補正１２】
【補正対象書類名】明細書
【補正対象項目名】００３１
【補正方法】変更
【補正の内容】
【００３１】
第２の画素電極間Ｗ２には、上記の通り、２本の補助容量配線６と、Ｙ座標検知配線７と、が配置されている。
【手続補正１３】
【補正対象書類名】明細書
【補正対象項目名】００３８
【補正方法】変更
【補正の内容】
【００３８】
一方、第２の基板（カラーフィルタ基板）には、カラーフィルタ１０３と、ブラックマトリックス１０４と、複数の接点用突起部１０５と、が設けられている。これら接点用突起１０５は、それぞれＸ座標検知接点部９、Ｙ座標検知接点部１０及び土台部１１の各部分に対峙して設けられている。これら接点用突起部１０５、カラーフィルタ１０３及びブラックマトリックス１０４上には、対向電極２０が設けられている。
【手続補正１４】
【補正対象書類名】明細書
【補正対象項目名】００４８
【補正方法】変更
【補正の内容】
【００４８】
次に、図５（Ａ）〜（Ｄ）に図示されているように、第１基板上には例えばシリコン窒化膜（ＳｉＮｘ）を使用した透明なゲート絶縁膜１００がゲート配線５及びＹ座標検知配線７を覆うように形成される。
【手続補正１５】
【補正対象書類名】明細書
【補正対象項目名】００６１
【補正方法】変更
【補正の内容】
【００６１】
透明導電膜６２が形成された時点で、図７（Ａ）〜（Ｄ）中に図示されているＴＦＴ２の断面の一部、土台部１１の断面の一部、Ｘ座標検知接点部９の断面の一部、そしてＹ座標検知接点部１０の断面の一部のそれぞれは、ＴＦＴ２を形成するための前述した作成方法によって第１基板上に共通して同時に形成されているので、第１基板上からの高さは相互に同じである。
【手続補正１６】
【補正対象書類名】特許請求の範囲
【補正対象項目名】全文
【補正方法】変更
【補正の内容】
【特許請求の範囲】
【請求項１】
互いに対向配置された第１の基板と第２の基板と、
前記第１の基板と前記第２の基板との間に封入された液晶層と、
前記第１の基板に設けられ、第１の方向と、当該第１の方向と垂直な第２の方向と、に配列された画素電極と、
前記第２の基板に設けられ、前記画素電極に対して対向配置される対向電極と、
前記画素電極に接続された画素用トランジスタと、
前記画素用トランジスタに走査信号を供給する前記第１の方向に延伸する走査線と、
前記画素用トランジスタに表示信号を供給する前記第２の方向に延伸する信号線と、
前記画素電極との間に補助容量を形成する前記第１の方向に延伸する補助容量線と、
を有し、
前記第２の方向に隣接する前記画素電極の間隔のうちの、
第１の画素電極間隔には、前記隣接する各画素電極に接続された前記各画素用トランジスタと、前記各画素用トランジスタに接続された前記各走査線と、前記信号線から延出された信号線延出部と、が配置され、
前記信号線延出部は、前記各画素用トランジスタに共通接続される、
ことを特徴とする液晶表示装置。
【請求項２】
前記第１の画素電極間隔には、
隣接する一方の前記画素電極に接続された一方の前記画素用トランジスタと、当該一方の画素用トランジスタに接続された一方の前記走査線と、が配置され、
隣接する他方の前記画素電極に接続された他方の前記画素用トランジスタと、当該他方の画素用トランジスタに接続された他方の前記走査線と、が配置され、
前記一方の走査線と前記他方の走査線との間に前記信号線延出部が配置され、前記信号線延出部が前記一方の画素用トランジスタと前記他方の画素用トランジスタとに共通接続されることで、前記一方の画素用トランジスタと前記他方の画素用トランジスタとが前記第２の方向に隣接する、
ことを特徴とする請求項１に記載の液晶表示装置。
【請求項３】
前記第２の方向に隣接する前記画素電極の間隔のうちの、
第２の画素電極間隔には、前記隣接する各画素電極に対応した前記各補助容量線を配置し、
前記第１の画素電極間隔と、前記第２の画素電極間隔と、を前記第２の方向に沿って交互に配置した、
ことを特徴とする請求項１に記載の液晶表示装置。
【請求項４】
互いに対向配置された第１の基板と第２の基板と、
前記第１の基板と前記第２の基板との間に封入された液晶層と、
前記第１の基板に設けられ、第１の方向と、当該第１の方向と垂直な第２の方向と、に配列された画素電極と、
前記第２の基板に設けられ、前記画素電極に対して対向配置される対向電極と、
前記画素電極に接続された画素用トランジスタと、
前記画素用トランジスタに走査信号を供給する前記第１の方向に延伸する走査線と、
前記画素用トランジスタに表示信号を供給する前記第２の方向に延伸する信号線と、
前記画素電極との間に補助容量を形成する前記第１の方向に延伸する補助容量線と、
前記第１の方向に延伸された第１の座標検知配線と、
前記第２の方向に延伸された第２の座標検知配線と、
を有し、
前記第２の方向に隣接する前記画素電極の間隔のうちの、
第１の画素電極間隔には、前記隣接する各画素電極に接続された前記各画素用トランジスタと、前記各画素用トランジスタに接続された前記各走査線と、前記信号線から延出された信号線延出部と、が配置され、
前記信号線延出部は前記各画素用トランジスタに共通接続される、
ことを特徴とするタッチパネル。
【請求項５】
前記第１の画素電極間隔には、
隣接する一方の前記画素電極に接続された一方の前記画素用トランジスタと、当該一方の画素用トランジスタに接続された一方の前記走査線と、が配置され、
隣接する他方の前記画素電極に接続された他方の前記画素用トランジスタと、当該他方の画素用トランジスタに接続された他方の前記走査線と、が配置され、
前記一方の走査線と前記他方の走査線との間に前記信号線延出部が配置され、前記信号線延出部が前記一方の画素用トランジスタと前記他方の画素用トランジスタとに共通接続されることで、前記一方の画素用トランジスタと前記他方の画素用トランジスタとが前記第２の方向に隣接する、
ことを特徴とする請求項４に記載のタッチパネル。
【請求項６】
前記第２の方向に隣接する前記画素電極の間隔のうちの、
第２の画素電極間隔には、前記隣接する各画素電極に対応した前記各補助容量線と、前記第１の座標検出検知線と、を配置し、
前記第１の画素電極間隔と、前記第２の画素電極間隔と、を前記第２の方向に沿って交互に配置した、
ことを特徴とする請求項４に記載のタッチパネル。
【請求項７】
前記第２の画素電極間隔には、
隣接する一方の前記画素電極に対応する一方の前記補助容量線と、隣接する他方の前記画素電極に対応する他方の前記補助容量線と、が配置され、
前記一方の補助容量線と前記他方の補助容量線との間に前記第１の座標検出検知線が配置される、
ことを特徴とする請求項６に記載のタッチパネル。
【請求項８】
前記第２の基板に設けられ、前記対向電極を接点電極とする接点突起部と、
前記第２基板が外部からの押圧を受けたときに前記接点突起部と導通する、前記第１の座標検知配線に接続されている第１の座標検知接点部と、
前記第２基板が外部からの押圧を受けたときに前記接点突起部と導通する、前記第２の座標検知配線に接続されている第２の座標検知接点部と、
前記第２基板が外部からの押圧を受けていないときに、前記接点突起部と前記第１の座標検知接点部との接点間隔及び前記接点突起部と前記第２の座標検知接点部との接点間隔を保持するために柱状スペーサが接触する、前記第１の座標検知配線に接続されている土台部と、
をさらに備え、
前記第２の画素電極間隔における前記第１の座標検出検知線には、
前記第１の座標検知接点部、前記第２の座標検出検知線から延出された前記第２の座標検知接点部、前記土台部、のうちの何れかひとつが配置されている、
ことを特徴とする請求項７に記載のタッチパネル。